(57)【要約】【課題】照明装置の様々な利用シーンに応じて、照明装置の点灯状態をより細かく切り替えることを可能とする。【解決手段】照明装置１００は、面光源１０と、面光源１０に設けられた複数の接触検出部（例えば検出スイッチ３０）と、を有する。複数の接触検出部は、面光源１０が物に対して接触しているか否かをそれぞれ検出する。照明装置１００は、複数の接触検出部による検出結果の組み合わせに応じて面光源１０の点灯状態が切り替わるように構成されている。【選択図】図１
2015005402.tif 000002
【特許請求の範囲】
【請求項１】
面光源と、
前記面光源に設けられ、前記面光源が物に対して接触しているか否かをそれぞれ検出する複数の接触検出部と、
を有し、
前記複数の接触検出部による検出結果の組み合わせに応じて前記面光源の点灯状態が切り替わるように構成されている照明装置。
【請求項２】
前記複数の接触検出部による検出結果の組み合わせに応じて、前記面光源の点灯状態を制御する制御部を更に備える請求項１に記載の照明装置。
【請求項３】
前記複数の接触検出部は、前記面光源の面方向において互いに異なる位置に配置されている請求項１又は２に記載の照明装置。
【請求項４】
前記複数の接触検出部に、前記接触を検出している前記接触検出部と、前記接触を検出していない前記接触検出部と、が混在する状態では、前記面光源が点灯するように構成されている請求項１〜３の何れか一項に記載の照明装置。
【請求項５】
前記複数の接触検出部のすべてが、それぞれ前記接触を検出している状態では、前記面光源が消灯するように構成されている請求項１〜４の何れか一項に記載の照明装置。
【請求項６】
前記複数の接触検出部のうちいずれの前記接触検出部も、前記接触を検出していない状態では、前記面光源が消灯するように構成されている請求項１〜５の何れか一項に記載の照明装置。
【発明の詳細な説明】
【技術分野】
【０００１】
本発明は、照明装置に関する。
【背景技術】
【０００２】
面光源を有する薄型の照明装置としては、特許文献１に記載のものがある。特許文献１の照明装置は、面光源と、駆動回路を含む回路基板と、面光源および回路基板を挟持する前面シートおよび背面シートと、前面シートの内面の電極と回路基板の上面の電極とから構成された１つのシートスイッチと、を備える。
【先行技術文献】
【特許文献】
【０００３】
【特許文献１】特開平３−１５９００１号公報
【発明の概要】
【発明が解決しようとする課題】
【０００４】
特許文献１の技術の場合、スイッチが１つであり、そのスイッチが押されている状態でのみ、面光源が点灯する。しかし、本発明者は、照明装置の様々な利用シーンに応じて、照明装置の点灯状態をより細かく切り替えることに対して、ニーズがあると考えた。
【０００５】
本発明が解決しようとする課題としては、照明装置の様々な利用シーンに応じて、照明装置の点灯状態をより細かく切り替えることを可能とすることが一例として挙げられる。
【課題を解決するための手段】
【０００６】
請求項１に記載の発明は、
面光源と、
前記面光源に設けられ、前記面光源が物に対して接触しているか否かをそれぞれ検出する複数の接触検出部と、
を有し、
前記複数の接触検出部による検出結果の組み合わせに応じて前記面光源の点灯状態が切り替わるように構成されている照明装置である。
【図面の簡単な説明】
【０００７】
【図１】実施形態に係る照明装置の平面図である。
【図２】実施形態に係る照明装置のブロック構成を示す図である。
【図３】図３（ａ）は論理回路（ＸＯＲゲート）を用いて制御部を構成する場合の照明装置の回路図、図３（ｂ）は図３（ａ）に示す論理回路（ＸＯＲゲート）の真理値表である。
【図４】実施形態に係る照明装置の動作を説明するための図である。
【図５】実施形態に係る照明装置の使用例を示す斜視図である。
【図６】実施形態に係る照明装置の使用例を示す斜視図である。
【図７】実施形態に係る照明装置の使用例を示す斜視図である。
【図８】実施形態に係る照明装置の使用例を示す斜視図である。
【図９】図９（ａ）は実施例１に係る照明装置の平面図、図９（ｂ）は図９（ａ）のＡ部の断面図である。
【図１０】図１０（ａ）は実施例１に係る照明装置の一方の面側の基板の構成を示す平面図、図１０（ｂ）は実施例１に係る照明装置の他方の面側の基板の構成を示す平面図である。
【図１１】実施例１に係る照明装置の面光源が備える発光部等の構成を示す断面図である。
【図１２】発光部の有機機能層の層構造の第１例を示す断面図である。
【図１３】発光部の有機機能層の層構造の第２例を示す断面図である。
【図１４】実施例２に係る照明装置の平面図である。
【図１５】図１５（ａ）は実施例３に係る照明装置のブロック構成を示す図、図１５（ｂ）〜（ｅ）は実施例３に係る照明装置の回路構成の例を示す図である。
【発明を実施するための形態】
【０００８】
以下、実施の形態について、図面を用いて説明する。尚、すべての図面において、同様の構成要素には同一の符号を付し、適宜説明を省略する。
【０００９】
図１は実施形態に係る照明装置１００の平面図である。本実施形態に係る照明装置１００は、面光源１０と、面光源１０に設けられた複数の接触検出部（例えば検出スイッチ３０）と、を有する。複数の接触検出部は、面光源１０が物（例えば照明対象物である本５０（図５））に対して接触しているか否かをそれぞれ検出する。照明装置１００は、複数の接触検出部による検出結果の組み合わせに応じて面光源１０の点灯状態が切り替わるように構成されている。
【００１０】
以下においては、説明を簡単にするため、照明装置の各構成要素の位置関係（上下関係等）が各図に示す関係であるものとして説明を行う場合がある。ただし、この説明における位置関係は、照明装置の使用時や製造時の位置関係とは無関係である。
【００１１】
照明装置１００は、例えば、本５０（図５）に挟んで読書灯として用いられることを想定したものであるとともに、不使用時には、本５０に挟んで栞（しおり）として用いられることを想定したものである。つまり、照明装置１００は、例えば、栞型照明装置である。照明装置１００は、可撓性のものであることが好ましい。ただし、照明装置１００は、可撓性でなくても良い。
【００１２】
面光源１０は、例えば、シート状ないしは板状に形成されている。面光源１０は、少なくともその一方の面から光を放射するように構成されている。
【００１３】
面光源１０は、発光動作を行う発光部２０を含んで構成されている。
【００１４】
照明装置１００は、他に、電源である電池４０と、面光源１０が物に対して接触しているか否かをそれぞれ検出する複数の検出スイッチ３０と、を有する。
【００１５】
発光部２０は、例えば、有機ＥＬ（Ｅｌｅｃｔｒｏ  Ｌｕｍｉｎｅｓｃｅｎｃｅ）素子である。ただし、発光部２０は、有機ＥＬ素子以外の面状の発光素子（例えば、無機ＥＬ素子等）であっても良い。或いは、発光部２０は、例えば、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。発光部２０は、電池４０から供給される電力により発光する。
【００１６】
電池４０は、発光部２０に電力を供給するものである。電池４０は薄型のものであることが好ましい。電池４０は、例えば、有機ラジカル電池、太陽電池、リチウムイオン電池などである。電池４０は、好ましくは可撓性でフィルム状の、有機ラジカル電池、太陽電池、リチウムイオン電池などである。
【００１７】
照明装置１００は、例えば、本５０（図５）の"のど"の部分（本５０の背に沿う部分）に沿って配置される直線状の辺１０１を有している。より具体的には、例えば、照明装置１００は（面光源１０は）、例えば、平面視矩形状に形成されている。ただし、照明装置１００は（面光源１０は）、本５０の"のど"の部分に沿って配置される直線状の辺１０１を有していれば、他の如何なる平面形状であっても良い。
【００１８】
本実施形態の場合、照明装置１００は、例えば、２つの検出スイッチ３０、すなわち第１検出スイッチ３１および第２検出スイッチ３２を備えている。これら第１検出スイッチ３１および第２検出スイッチ３２のうち、第１検出スイッチ３１は、辺１０１の一端部の近傍に配置され、第２検出スイッチ３２は、辺１０１の他端部の近傍に配置されている。
【００１９】
このように、複数の接触検出部は、例えば、面光源１０の面方向において互いに異なる位置に配置されている。
【００２０】
検出スイッチ３０の各々は、押圧されることによって、面光源１０において各検出スイッチ３０が配置されている箇所が、本５０に対して接触していることを検出する。すなわち、面光源１０において第１検出スイッチ３１が配置されている箇所（つまり辺１０１の一端部の近傍）が本５０に対して接触している状態では、第１検出スイッチ３１が本５０によって押圧される。このため、第１検出スイッチ３１は面光源１０が本５０に対して接触している旨を検出する。同様に、面光源１０において第２検出スイッチ３２が配置されている箇所（つまり辺１０１の他端部の近傍）が本５０に対して接触している状態では、第２検出スイッチ３２が本５０によって押圧される。このため、第２検出スイッチ３２は面光源１０が本５０に対して接触している旨を検出する。各検出スイッチ３０は、面光源１０が本５０に対して接触している旨を検出した場合に、その旨を示す検出信号を（後述する制御部６０へ）出力する。
【００２１】
図２は実施形態に係る照明装置１００のブロック構成を示す図である。図３（ａ）は論理回路（ＸＯＲゲート）を用いて制御部６０を構成する場合の照明装置１００の回路図、図３（ｂ）は図３（ａ）に示す論理回路（ＸＯＲゲート）の真理値表である。図２に示す照明装置１００の各構成要素は、ハードウエア単位の構成ではなく、機能単位のブロックを示している。特に、制御部６０は、一例として、図３（ａ）に示すように論理回路（ＸＯＲゲート）等を用いて構成される。なお、制御部６０の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによっても実現することができる。そして、その実現方法、装置には様々な変形例がある。
【００２２】
発光部２０が有機ＥＬ素子である場合、発光部２０は、図２に示すように、等価的にダイオードとみなすことができる。
【００２３】
図２に示すように、照明装置１００は、制御部６０とＯＮ／ＯＦＦ切替スイッチ７０とを更に備えている。
【００２４】
ＯＮ／ＯＦＦ切替スイッチ７０は、電池４０から発光部２０へ電力を供給する状態（ＯＮ状態）と電池４０から発光部２０へ電力を供給しない状態（ＯＦＦ状態）との切り替えを行うものである。ＯＮ状態では、発光部２０が発光（点灯）し、ＯＦＦ状態では発光部２０は発光しない（消灯する）。ＯＮ／ＯＦＦ切替スイッチ７０は、例えばトランジスタにより構成される。
【００２５】
制御部６０には、各検出スイッチ３０からの検出信号が入力されるようになっている。  制御部６０は、各検出スイッチ３０から入力される検出信号の組み合わせに応じて、ＯＮ／ＯＦＦ切替スイッチ７０を制御する。すなわち、制御部６０は、複数の検出スイッチ３０による検出結果の組み合わせに応じて、発光部２０の（つまり面光源１０の）点灯状態を制御する。
【００２６】
電池４０は２つの端子を有し、このうち一方の端子は、例えば、ＯＮ／ＯＦＦ切替スイッチ７０に対して電気的に接続され、他方の端子は、例えば、ダイオードとしての発光部２０の陰極端子に対して電気的に接続されている。また、ＯＮ／ＯＦＦ切替スイッチ７０も２つの端子を有し、このうち一方の端子は、例えば、電池４０に対して電気的に接続され、他方の端子は、例えば、ダイオードとしての発光部２０の陽極端子に対して電気的に接続されている。
【００２７】
図４は実施形態に係る照明装置１００の動作（制御部６０による制御動作）を説明するための図である。
【００２８】
図４は、第１検出スイッチ３１および第２検出スイッチ３２による検出状態と、発光部２０の（面光源１０の）点灯状態と、の関係を示す。なお、以下では、面光源１０が本５０に対して接触している旨を検出スイッチ３０が検出している状態を検出状態と称し、面光源１０が本５０に対して接触している旨を検出スイッチ３０が検出していない状態を非検出状態と称する。
【００２９】
図４に示すように、第１状態では、第１検出スイッチ３１は検出状態、第２検出スイッチ３２は非検出状態である。このとき、制御部６０は、発光部２０を（面光源１０を）点灯させる。また、第２状態では、第１検出スイッチ３１は非検出状態、第２検出スイッチ３２は検出状態である。このとき、制御部６０は、発光部２０を（面光源１０を）点灯させる。また、第３状態では、第１検出スイッチ３１は検出状態、第２検出スイッチ３２も検出状態である。このとき、制御部６０は、発光部２０を（面光源１０を）消灯させる。また、第４状態では、第１検出スイッチ３１は非検出状態、第２検出スイッチ３２も非検出状態である。このとき、制御部６０は、発光部２０を（面光源１０を）消灯させる。
【００３０】
照明装置１００が図３（ａ）のように構成されている場合、第１検出スイッチ３１および第２検出スイッチ３２の各々は、「１」又は「０」の検出信号を、制御部６０を構成するＸＯＲゲートに対して入力する。第１検出スイッチ３１および第２検出スイッチ３２の各々は、押圧されている状態では、「１」をＸＯＲゲートに対して入力し、押圧されていない状態では、「０」をＸＯＲゲートに対して入力する。図３（ｂ）に示すように、第１検出スイッチ３１および第２検出スイッチ３２からそれぞれ「１」がＸＯＲゲートに入力される状態、および、第１検出スイッチ３１および第２検出スイッチ３２からそれぞれ「０」がＸＯＲゲートに入力される状態では、ＸＯＲゲートは「０」をＯＮ／ＯＦＦ切替スイッチ７０のベースに入力する。このとき、ＯＮ／ＯＦＦ切替スイッチ７０は、コレクタからエミッタに電流を流さないため、発光部２０は消灯する。第１検出スイッチ３１および第２検出スイッチ３２のうち何れか一方から「１」がＸＯＲゲートに入力され、且つ、第１検出スイッチ３１および第２検出スイッチ３２のうち何れか他方から「０」がＸＯＲゲートに入力される状態では、ＸＯＲゲートは「１」をＯＮ／ＯＦＦ切替スイッチ７０のベースに入力する。このとき、ＯＮ／ＯＦＦ切替スイッチ７０は、コレクタからエミッタに電流を流すので、発光部２０は点灯する。
【００３１】
このように、複数の接触検出部（例えば検出スイッチ３０）に、物（例えば本５０）に対する面光源１０の接触を検出している接触検出部と、接触を検出していない接触検出部と、が混在する状態（第１状態および第２状態）では、面光源１０が点灯するように、照明装置１００は構成されている。
【００３２】
また、複数の接触検出部（例えば検出スイッチ３０）のすべてが、それぞれ物（例えば本５０）に対する面光源１０の接触を検出している状態（第３状態）では、面光源１０が消灯するように、照明装置１００は構成されている。
【００３３】
また、複数の接触検出部（例えば検出スイッチ３０）のうちいずれの接触検出部も、物（例えば本５０）に対する面光源１０の接触を検出していない状態（第４状態）では、面光源１０が消灯するように、照明装置１００は構成されている。
【００３４】
ここで、消灯後など、周囲が暗いところでも読書をしたいというニーズがある。このニーズに対して、ペンライト等の小型の照明装置を用いて読書することが考えられる。読書をする場合に照明したい場所は本５０（図５〜図８）の紙面のみで良いが、ペンライト等の小型の照明装置では、本５０以外の周囲にも多くの光がもれてしまう。また、ある程度決まった体勢での読書を強いられるという課題がある。また、スイッチがオンとなっていると常時点灯となり電力消費が激しい。またその形状から、本５０とは別に保管、携帯しなくてはならない。
【００３５】
これに対し、本実施形態によれば、本５０以外の周囲への光の漏れも低減でき、読書時の体勢に関わらず本５０の紙面のみを容易に照明することができ、且つ、必要時のみ点灯させることができる。また照明装置１００を本５０に挟んだまま保管することが可能となり栞としての役割も果たすことができるとともに、照明装置１００を本５０とともに携帯し易くなる。
【００３６】
図５〜図８は実施形態に係る照明装置１００の使用例を示す斜視図である。
【００３７】
例えば、図５に示すように、第２検出スイッチ３２（図５では本５０に隠れて見えない）が本５０に接触し（本５０により押圧され）、第１検出スイッチ３１が本５０に接触しないように（本５０により押圧されないように）、照明装置１００を本５０に挟んだ状態は、上記の第２状態に該当する。この状態では、面光源１０が（発光部２０が）自動的に点灯するので、ユーザは照明装置１００を読書灯として、暗い場所でも本５０を読むことができる。なお、照明装置１００は、本５０を開いたときの２つの見開きページのうち、一方のページに沿って配置され、主に他方のページを照明する。ユーザは、照明されるページを読むことができる。
【００３８】
また、図６に示すように、第１検出スイッチ３１（図６では本５０に隠れて見えない）が本５０に接触し（本５０により押圧され）、第２検出スイッチ３２が本５０に接触しないように（本５０により押圧されないように）、照明装置１００を本５０に挟んだ状態は、上記の第１状態に該当する。この状態でも、面光源１０が（発光部２０が）自動的に点灯するので、ユーザは照明装置１００を読書灯として、暗い場所でも本５０を読むことができる。
【００３９】
また、図７に示すように、第１検出スイッチ３１（図７では本５０に隠れて見えない）および第２検出スイッチ３２（図７では本５０に隠れて見えない）が本５０に接触するように（本５０により押圧されるように）、照明装置１００を本５０に挟んだ状態は、上記の第３状態に該当する。この状態では、面光源１０が（発光部２０が）自動的に消灯する。よって、ユーザは、このまま本５０を閉じることにより、照明装置１００を栞として用いることができる。このとき、面光源１０が（発光部２０が）消灯しているため、電力消費を抑制できる。
【００４０】
このように、本５０に対する照明装置１００の挟み方を変えることにより、照明装置１００の点灯状態を自動的に切り替えることができる。
【００４１】
また、図８に示すように、照明装置１００を本５０から外した状態では、第１検出スイッチ３１および第２検出スイッチ３２が本５０に接触していない（本５０により押圧されていない）。この状態は、上記の第４状態に該当するため、この状態では面光源１０が（発光部２０が）消灯する。よって、不使用時には面光源１０を（発光部２０を）自動的に消灯させることができ、電力消費を抑制できる。
【００４２】
以上、本実施形態によれば、照明装置１００は、面光源１０と、面光源１０に設けられた複数の接触検出部（例えば検出スイッチ３０）と、を有する。複数の接触検出部は、面光源１０が物（例えば本５０（図５））に対して接触しているか否かをそれぞれ検出する。照明装置１００は、複数の接触検出部による検出結果の組み合わせに応じて面光源１０の点灯状態が切り替わるように構成されている。
よって、所望の点灯状態に応じて、各接触検出部による接触の検出状態の切り替えを行うことにより、面光源１０を所望の点灯状態とすることができる。つまり、スイッチが１つだけの場合と比べて、照明装置１００の様々な利用シーンに応じて、面光源１０の点灯状態をより細かく切り替えることができる。
具体的には、照明装置１００の様々な利用シーンに応じた照明装置１００の配置の状態に対応させて、照明装置１００の点灯状態を細かく切り替えることができる。より具体的には、例えば、図５〜図８に示すように、本５０に対する照明装置１００の挟み方を変更することにより、面光源１０の点灯および消灯を任意に切り替えることができる。また、図８に示すように照明装置１００を本５０から外した状態では、面光源１０を消灯させることができる。
【００４３】
また、照明装置１００は、複数の接触検出部（例えば検出スイッチ３０）による検出結果の組み合わせに応じて、面光源１０の点灯状態を制御する制御部６０を更に備えるので、各接触検出部、電池４０および発光部２０の相互間等を複雑な配線経路で電気的に接続しなくても、面光源１０の点灯状態を複数の接触検出部による検出結果の組み合わせに応じて容易に切り替えることができる。  
【００４４】
また、複数の接触検出部（例えば検出スイッチ３０）は、面光源１０の面方向において互いに異なる位置に配置されているので、例えば図５〜図８に示すように、面光源１０のどの部分が物に対して接触しているのかに応じて、面光源１０の点灯状態を切り替えることができる。
【００４５】
また、複数の接触検出部（例えば検出スイッチ３０）に、物（例えば本５０）に対する面光源１０の接触を検出している接触検出部と、接触を検出していない接触検出部と、が混在する状態（第１状態および第２状態）では、面光源１０が点灯するように、照明装置１００は構成されている。よって、例えば図５又は図６に示すような挟み方で照明装置１００を本５０に挟むことにより、照明装置１００を読書灯として用いることができる。
【００４６】
また、複数の接触検出部（例えば検出スイッチ３０）のすべてが、それぞれ物（例えば本５０）に対する面光源１０の接触を検出している状態（第３状態）では、面光源１０が消灯するように、照明装置１００は構成されている。よって、例えば図７に示すような挟み方で照明装置１００を本５０に挟むことにより、照明装置１００の電力消費を抑制しつつ、照明装置１００を栞として用いることができる。
【００４７】
また、複数の接触検出部（例えば検出スイッチ３０）のうちいずれの接触検出部も、物（例えば本５０）に対する面光源１０の接触を検出していない状態（第４状態）では、面光源１０が消灯するように、照明装置１００は構成されている。よって、例えば図８に示すように、照明装置１００を本５０から外した状態など、照明装置１００の不使用時には、照明装置１００の電力消費を抑制することができる。
【実施例】
【００４８】
（実施例１）
図９（ａ）は実施例１に係る照明装置１００の平面図、図９（ｂ）は図９（ａ）のＡ部の断面図である。図１０（ａ）は実施例１に係る照明装置１００の一方の面側の基板（例えば透光性基板１１０）の構成を示す平面図、図１０（ｂ）は実施例１に係る照明装置１００の他方の面側の基板（例えば封止部材１６０）の構成を示す平面図である。図１１は実施例１に係る照明装置１００の面光源１０が備える発光部２０等の構成を示す断面図である。本実施例に係る照明装置１００は、以下に説明する点で、上記の実施形態に係る照明装置１００と相違し、その他の点では上記の実施形態に係る照明装置１００と同様に構成されている。
【００４９】
図９（ｂ）に示すように、面光源１０は、例えば、その一方の面側の基板（例えば透光性基板１１０）と、他方の面側の基板（例えば封止部材１６０）と、を有している。図９（ａ）および（ｂ）に示すように、透光性基板１１０と封止部材１６０とは、それらの周縁部において、封止材１８０を介して相互に接合されている。これによって、封止材１８０によって囲まれた領域は、その外部の領域から遮断され、封止材１８０によって囲まれた領域内の構成要素は、大気中の酸素や水分から保護されている。
【００５０】
透光性基板１１０と封止部材１６０との間に挟まれた領域で、且つ、封止材１８０によって囲まれた領域内には、上記の発光部２０、検出スイッチ３０、電池４０、制御部６０およびＯＮ／ＯＦＦ切替スイッチ７０等の構成要素が配置されている。ただし、電池４０は、透光性基板１１０と封止部材１６０との間に挟まれた領域ではなく、照明装置１００の表側又は裏側に配置され、ユーザにより交換可能となっていても良い。
【００５１】
各検出スイッチ３０は、例えば、透光性基板１１０において封止部材１６０と対向する面に形成された第１端子１３１と、封止部材１６０において透光性基板１１０と対向する面に形成された第２端子１５１と、を備えている。第１端子１３１は図示しない第１接続導体を介して制御部６０に対して電気的に接続されており、第２端子１５１は図示しない第２接続導体を介して制御部６０に対して電気的に接続されている。
【００５２】
例えば、透光性基板１１０および封止部材１６０は、それぞれ可撓性のものである。
【００５３】
検出スイッチ３０が本５０等に接触した際には、透光性基板１１０と封止部材１６０とのうちの少なくとも何れか一方が、他方の方に向けて弾性変形し、第１端子１３１と第２端子１５１とが互いに接触し導通するようになっている。この状態のとき、制御部６０は、面光源１０が本５０などの物に対して接触していることを検出スイッチ３０が検出したと判断する。
【００５４】
また、検出スイッチ３０が本５０等に接触していない状態のときには、第１端子１３１と第２端子１５１とは図９（ｂ）に示すように互いに離間した状態に維持される。この状態のときには、制御部６０は、面光源１０が本５０などの物に対して接触していることを検出スイッチ３０が検出していないと判断する。
【００５５】
図１０（ａ）に示すように、透光性基板１１０において封止部材１６０と対向して配置される面側には、発光部２０と、複数の第１端子１３１とが設けられている。一方、図１０（ｂ）に示すように、封止部材１６０において透光性基板１１０と対向して配置される面側には、複数の第２端子１５１が設けられている。第１端子１３１と第２端子１５１とは互いに１対１で対応しており、互いに対応する第１端子１３１と第２端子１５１とが互いに対向するように配置されている。
【００５６】
透光性基板１１０側の構造（図１０（ａ））と、封止部材１６０側の構造（図１０（ｂ））とを別個に作製した後、これらを封止材１８０を介して相互に接合することにより、照明装置１００を作製することができる。なお、透光性基板１１０側の構造と封止部材１６０側の構造とを相互に接合する前に、電池４０、制御部６０およびＯＮ／ＯＦＦ切替スイッチ７０等を、透光性基板１１０側の構造と封止部材１６０側の構造とのうちの何れかに設けておく。
【００５７】
ここで、第１端子１３１および上記の第１接続導体は、例えば、後述する第１電極１３０と同じ材料により、第１電極１３０を形成するのと同一の工程にて形成することができる。また、第２端子１５１および上記の第２接続導体は、後述する第２電極１５０と同じ材料により、第２電極１５０を形成するのと同一の工程にて形成することができる。これにより、検出スイッチ３０と、検出スイッチ３０を制御部６０に対して電気的に接続するための接続導体（第１接続導体および第２接続導体）とを、工程を追加することなく作製することができる。
【００５８】
次に、図１１を参照して、面光源１０の発光部２０等の構成について説明する。
【００５９】
発光部２０は、透光性基板１１０の一方の面側（図１１では下面側）に設けられている。ここでは、発光部２０が有機ＥＬ素子である場合の構造の例を説明する。
【００６０】
発光部２０は、透光性の第１電極１３０と、有機機能層１４０と、第２電極１５０と、を有する。第１電極１３０は、透光性基板１１０の一方の面側（図１１において下側）に配置されている。有機機能層１４０は、第１電極１３０を基準として透光性基板１１０とは反対側（図１１において下側）に配置されている。第２電極１５０は、有機機能層１４０を基準として第１電極１３０とは反対側（図１１において下側）に配置されている。なお、透光性基板１１０と第１電極１３０とは相互に接していても良いし、それらの間に他の透光性の層が存在していても良い。同様に、第１電極１３０と有機機能層１４０とは相互に接していても良いし、それらの間に他の透光性の層が存在していても良い。同様に、有機機能層１４０と第２電極１５０とは相互に接していても良いし、それらの間に他の層が存在していても良い。また、第２電極１５０の下面側（図１１において下面側）には、例えば、基板状の封止部材１６０が配置されている。
【００６１】
透光性基板１１０は、ガラスや樹脂などの透光性を有する材料からなる板状部材である。なお、透光性基板１１０は、透明であっても良いし、半透明であっても良い。上述のように、照明装置１００は可撓性であることが好ましいため、透光性基板１１０は可撓性であることが好ましい。透光性基板１１０は、例えば、樹脂フィルムにより構成することができる。
【００６２】
また、封止部材１６０は、ガラス、樹脂或いは金属などの材料からなる板状部材である。封止部材１６０は、遮光性であっても良いし、透光性であっても良い。上述のように、照明装置１００は可撓性であることが好ましいため、封止部材１６０は可撓性であることが好ましい。
【００６３】
例えば、透光性基板１１０の上面、すなわち透光性基板１１０における有機機能層１４０とは反対側の面は、平坦な光取り出し面１０１ａとなっている。この光取り出し面１０１ａは、光放出空間を充たす空気（屈折率１）と接している。なお、透光性基板１１０の上面には、光拡散フィルムなどの光取り出しフィルムが貼り付けられており、この光取り出しフィルムの上面が光取り出し面を構成していても良い。
【００６４】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、Ａｇ、Ａｕ、Ａｌなどの金属膜からなる反射電極である。第２電極１５０は、有機機能層１４０から第２電極１５０側に向かう光を、透光性基板１１０側に向けて反射する。
【００６５】
なお、第１電極１３０は、図２においてダイオードとして示される発光部２０の陽極端子を含み、第２電極１５０は、図２においてダイオードとして示される発光部２０の陰極端子を含んでいる。
【００６６】
図２のＯＮ／ＯＦＦ切替スイッチ７０がＯＮ状態となって電池４０から発光部２０へ電力が供給されて、第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、照明装置１００の外部（つまり上記光放出空間）に放射される（取り出される）。また、図２のＯＮ／ＯＦＦ切替スイッチ７０がＯＦＦ状態となって電池４０から発光部２０への電力供給が停止されることにより、有機機能層１４０の発光層が消灯する。
【００６７】
以下、発光部２０の有機機能層１４０の層構造のより具体的な例を説明する。
【００６８】
図１２は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機ＥＬ発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００６９】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、照明装置１００は白色等の単一の発光色で発光する。
【００７０】
なお、発光層１４３は、複数の色を発光するための材料を混ぜることにより、白色等の単一の発光色で発光するように構成されていても良い。
【００７１】
図１３は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、照明装置１００は白色等の単一の発光色で発光する。
【００７２】
次に、照明装置１００を製造する工程を説明するが、これらは一例であり、限定を意図するものではない。
【００７３】
先ず、図１０（ａ）に示すような透光性基板１１０側の構造を作製する工程を説明する。
【００７４】
透光性基板１１０の一方の面にスパッタ法などによりＩＴＯやＩＺＯなどの金属酸化物導電体からなる透光性の導電膜を成膜し、エッチングによりこれをパターニングして第１電極１３０、第１端子１３１および第１接続導体を一括して形成する。
【００７５】
次に、第１電極１３０の下面に有機材料を塗布することにより有機機能層１４０を形成する。
【００７６】
次に、図１０（ｂ）に示すような封止部材１６０側の構造を作製する工程を説明する。
【００７７】
封止部材１６０の一方の面に、蒸着法などによりＡｇ、Ａｕ、Ａｌなどの金属材料を堆積させて、第２電極１５０、第２端子１５１および第２接続導体を一括して形成する。
【００７８】
なお、制御部６０、ＯＮ／ＯＦＦ切替スイッチ７０および電池４０は、それぞれ適切なタイミングで、透光性基板１１０又は封止部材１６０の一方の面に設ける。
【００７９】
次に、透光性基板１１０と封止部材１６０とを互いに対向させて配置し、透光性基板１１０と封止部材１６０とを封止材１８０を介して相互に接合する。この際に、第２電極１５０の一方の面と有機機能層１４０の一方の面とを相互に接触させる。こうして、照明装置１００が得られる。
【００８０】
本実施例によれば、第１端子１３１および第１接続導体は、第１電極１３０と同じ材料により、第１電極１３０を形成するのと同一の工程にて形成することができる。また、第２端子１５１および第２接続導体は、第２電極１５０と同じ材料により、第２電極１５０を形成するのと同一の工程にて形成することができる。これにより、検出スイッチ３０と、検出スイッチ３０を制御部６０に対して電気的に接続するための接続導体（第１接続導体および第２接続導体）とを、工程を追加することなく作製することができる。
【００８１】
（実施例２）
図１４は実施例２に係る照明装置１００の平面図である。本実施例に係る照明装置１００は、以下に説明する点で、上記の実施形態に係る照明装置１００と相違し、その他の点では上記の実施形態に係る照明装置１００と同様に構成されている。
【００８２】
上記においては、検出スイッチ３０が２つの例を説明したが、本実施例の場合、照明装置１００は３つ以上の検出スイッチ３０を有している。例えば、図１４に示すように、照明装置１００は、４つの検出スイッチ３０、すなわち第１検出スイッチ３１、第２検出スイッチ３２、第３検出スイッチ３３、および第４検出スイッチ３４を備えている。
【００８３】
ここで、照明装置１００は（面光源１０は）、辺１０１と対向する直線状の辺１０２を有している。そして、第３検出スイッチ３３は、辺１０２の一端部の近傍に配置され、第４検出スイッチ３４は、辺１０２の他端部の近傍に配置されている。より具体的には、照明装置１００は（面光源１０は）、平面視矩形状に形成され、照明装置１００の（面光源１０の）４つの角部の各々に、１つずつの検出スイッチ３０がそれぞれ配置されている。
【００８４】
本実施例の場合、制御部６０は、例えば、第１検出スイッチ３１および第２検出スイッチ３２が検出状態であり、第３検出スイッチ３３および第４検出スイッチ３４が非検出状態のときに、面光源１０を点灯させる。つまり、図７と同様の状態から本５０を閉じたときに、面光源１０を点灯させる。
また、制御部６０は、例えば、第１検出スイッチ３１、第２検出スイッチ３２、第３検出スイッチ３３および第４検出スイッチ３４のすべてが検出状態のときに、面光源１０を消灯させる。つまり、図７と同様の状態のときに、面光源１０を消灯させる。
また、制御部６０は、例えば、第１検出スイッチ３１、第２検出スイッチ３２、第３検出スイッチ３３および第４検出スイッチ３４のすべてが非検出状態のときにも、面光源１０を消灯させる。つまり、図８と同様の状態のときにも、面光源１０を消灯させる。
【００８５】
本実施例によっても、上記の実施形態と同様の効果が得られる。
【００８６】
（実施例３）
図１５（ａ）は実施例３に係る照明装置１００のブロック構成を示す図、図１５（ｂ）〜（ｅ）は実施例３に係る照明装置１００の回路構成の例を示す図である。本実施例に係る照明装置１００は、以下に説明する点で、上記の実施形態に係る照明装置１００と相違し、その他の点では上記の実施形態に係る照明装置１００と同様に構成されている。
【００８７】
本実施例に係る照明装置１００は、ＯＮ／ＯＦＦ切替スイッチ７０および制御部６０を有していない。ただし、複数の検出スイッチ３０による検出結果の組み合わせに応じて面光源１０の点灯状態が切り替わるように、複数の検出スイッチ３０どうしが適宜の配線を介して電気的に接続されているとともに、複数の検出スイッチ３０のうちの少なくとも何れか１つが電池４０に対して電気的に接続され、且つ、複数の検出スイッチ３０のうちの少なくとも何れか１つがダイオードとしての発光部２０の何れかの端子（例えば陽極端子）に対して電気的に接続されている。
【００８８】
具体的には、例えば、図１５（ｂ）〜（ｅ）に示すように２つの検出スイッチ３０が配置されている。この例では、図１５（ｂ）に示すように、第１検出スイッチ３１および第２検出スイッチ３２が押圧されている（ＯＮとなっている）状態では、電池４０から発光部２０へと電流が供給されずに、発光部２０が消灯する。また、図１５（ｃ）および（ｄ）に示すように、第１検出スイッチ３１と第２検出スイッチ３２とのうち何れか一方が押圧され（ＯＮとなり）、何れか他方が押圧されていない（ＯＦＦとなっている）状態では、電池４０から発光部２０へと電流が供給されて、発光部２０が発光する。また、図１５（ｅ）に示すように、第１検出スイッチ３１および第２検出スイッチ３２の何れも押圧されていない（何れもＯＦＦとなっている）状態では、電池４０から発光部２０へと電流が供給されずに、発光部２０が消灯する。
【００８９】
本実施例によっても、上記の実施形態と同様の効果が得られる。また、本実施例では複数の検出スイッチ３０の状態により直接面光源１０のＯＮ／ＯＦＦを切り替えることができる。これによって制御部や切替スイッチを必要とせず、部品点数を減らすことが可能となる。
【００９０】
以上、図面を参照して実施形態及び実施例について述べたが、これらは本発明の例示であり、上記以外の様々な構成を採用することもできる。
【００９１】
例えば、接触検出部を面光源１０の両面にそれぞれ配置しても良い。この場合、例えば、両面の接触検出部がともに検出状態のときに、面光源１０を点灯させ、両面の接触検出部のうちの少なくとも何れか一方が非検出状態のときに、面光源１０を消灯させるようにすることができる。
【００９２】
また、上記においては、接触検出部は、２つの端子（第１端子１３１および第２端子１５１）を備え、これら２つの端子が相互に機械的および電気的に接続されることにより接触を検出する構造である例を説明したが、接触検出部は、他の方式のものであっても良い。
【００９３】
例えば、接触検出部は、物に接触した状態（例えば本５０に挟まれた状態）であるか否かを光学的に検出するものであっても良い。有機ＥＬ素子は、太陽電池としての機能を有する。つまり、有機ＥＬ素子は、受光する状態では電流を出力し、受光しない状態では電流を出力しない。このため、照明用の発光部２０とは別に、該発光部２０と同様の層構造の有機ＥＬ素子を接触検出部として照明装置１００に設けることができる。この有機ＥＬ素子が受光する状態では、制御部６０は、当該有機ＥＬ素子からの電流を検出するため、当該有機ＥＬ素子からなる接触検出部が物に接触していない状態（例えば本５０に挟まれていない状態）であると判定する。この有機ＥＬ素子が受光しない状態では、制御部６０は、当該有機ＥＬ素子からの電流を検出しないため、当該有機ＥＬ素子からなる接触検出部が物に接触している状態（例えば本５０に挟まれている状態）であると判定する。なお、この場合、ある程度の明るさの場所（ただし例えば読書には不向きな程度に薄暗い場所）で照明装置１００を用いることが想定される。
【００９４】
また、接触検出部は、物に接触した状態（例えば本５０に挟まれた状態）であるか否かを静電容量の変化に基づいて検出するものであっても良い。例えば、第１電極１３０を形成する際に、第１電極１３０と同じ材料により、第１電極１３０とは別の電極部をパターン形成する。そして、発光部２０の形成に用いられる何れかの有機層を形成する際に、該有機層と同じ材料からなる有機膜（以下、絶縁膜）を、第１電極１３０とは別の上記電極部上に堆積させる。
一方、この電極部と対向する電極部（以下、対向電極部）を、例えば、第２電極１５０を形成する際に、第２電極１５０と同じ材料により、第２電極１５０とは別にパターン形成する。そして、対向電極部と電極部とを相互に対向して配置するとともに、対向電極部と電極部とを上記絶縁膜により相互に絶縁した状態とする。これにより、対向電極部、電極部および絶縁膜によりコンデンサが形成され、このコンデンサによって接触検出部を構成することができる。この場合、照明装置１００の使い方は上記の実施形態と同様となる。接触検出部が押圧されて電極部と対向電極部との対向間隔が短くなると、接触検出部は、静電容量の変化により、接触を検出する（検出状態となる）。また、接触検出部の押圧が解除されて電極部と対向電極部との対向間隔が元の状態に戻ると、接触検出部は、静電容量の変化により、接触していないこと検出する（非検出状態となる）。
【００９５】
また、照明装置１００は、その一方の面だけでなく、両方の面が発光するように構成されていても良い。
例えば、封止部材１６０をガラスや樹脂等の透光性の材料により形成するとともに、第２電極１５０も透光性にする。例えば、第２電極１５０は、光が透過する程度に薄い金属膜により形成することによって、透光性とすることができる。これにより、発光部２０からの光が照明装置１００の両方の面から放射されるようにすることができる。
或いは、照明装置１００の表側および裏側にそれぞれ発光部２０を配置し、これら発光部２０の点灯および消灯を制御部６０により制御するようにしても良い。この場合も、封止部材１６０をガラスや樹脂等の透光性の材料により形成する。
これらの場合、照明装置１００を、その表と裏とを気にせずに用いることができる。また、例えば、本５０を開いたときの両方の見開きページの中間に照明装置１００が位置するように、照明装置１００を両方の見開きページに対して立てた状態で用いることにより、本５０の両方の見開きページを照明しながら、読書することができる。その際、専用のクリップ装置（図示略）を用いて照明装置１００および本５０を挟むことにより、本５０を開いた状態に維持させるとともに、照明装置１００を本５０の両方の見開きページの中間位置に維持させることができるようにしても良い。
【００９６】
また、上記においては、複数の接触検出部による検出結果の組み合わせに応じて、面光源１０の点灯または消灯だけ（ＯＮ／ＯＦＦだけ）を切り替える例を説明した。ただし、単に面光源１０の照明のＯＮ／ＯＦＦだけでなく、面光源１０の調光（明るさの調節）や、調色（発光色の調節）を行うことができるように、照明装置１００を構成しても良い。例えば、何れか１つ又は複数の接触検出部に対して所定の操作を行うことにより、調光や調色ができるようにすることができる。例えば、面光源１０が点灯した状態で、何れかの接触検出部に対して、押圧操作を１回行うたびに、面光源１０の明るさや発光色が切り替わるようにすることができる。
【符号の説明】
【００９７】
１０ 面光源
３０ 検出スイッチ（接触検出部）
３１ 第１検出スイッチ（接触検出部）
３２ 第２検出スイッチ（接触検出部）
３３ 第３検出スイッチ（接触検出部）
３４ 第４検出スイッチ（接触検出部）
５０ 本（物）
６０ 制御部
１００ 照明装置
【図１】
2015005402.tif 000003
【図２】
2015005402.tif 000004
【図３】
2015005402.tif 000005
【図４】
2015005402.tif 000006
【図５】
2015005402.tif 000007
【図６】
2015005402.tif 000008
【図７】
2015005402.tif 000009
【図８】
2015005402.tif 000010
【図９】
2015005402.tif 000011
【図１０】
2015005402.tif 000012
【図１１】
2015005402.tif 000013
【図１２】
2015005402.tif 000014
【図１３】
2015005402.tif 000015
【図１４】
2015005402.tif 000016
【図１５】
2015005402.tif 000017